(57)【要約】【課題】  本発明は、本の背と小口とで厚みが異なる本やファイル等の保管に適した本立てを提供することである。【解決手段】  本立ての側面板を背面板にヒンジ等で接合し、その接合部において、側面板と背面板とが扇形に開閉することを特徴とする本立て、及び、ある本立ての部分に属する側面板を他の本立ての部分に属する側面板に接合させ、その側面板の接合部において、側面板と側面板とが扇形に開閉することを特徴とする本立てを提供するものである。【選択図】  図１
2006130109.tif 000002
【特許請求の範囲】
【請求項１】
接合部において、側面板と背面板とを接合させることにより形成した本立てであって、側面板と背面板とが、接合部において扇形に開閉することが可能となる接合部を有することを特徴とする本立て。
【請求項２】
２個以上の、請求項１記載の本立ての特徴を有する本立ての部分を、側面板の接合部において、ある本立ての部分に属する側面板と他の本立ての部分に属する側面板とを接合させ、連結することにより形成した本立てであって、ある側面板と他の側面板とが、側面板の接合部において扇形に開閉することが可能となる側面板の接合部を有することを特徴とする本立て。
【請求項３】
２個以上の、側面板と背面板とが開閉できない状態で固着されている本立ての部分を、側面板の接合部において、ある本立ての部分に属する側面板と他の本立ての部分に属する側面板とを接合させ、連結することにより形成した本立てであって、ある側面板と他の側面板とが、側面板の接合部において扇形に開閉することが可能となる側面板の接合部を有することを特徴とする本立て。
【発明の詳細な説明】
【技術分野】
【０００１】
本発明は、側面板とこれに接合された背面板とが、接合部において扇形に開閉し、あるいはさらに、接合された側面板と側面板とが、側面板の接合部において扇形に開閉することにより、本の背と小口とで厚みが異なる図書、ファイル等の保管に適した本立てに関するものである。
【背景技術】
【０００２】
従来、本立て７は、図７に示すごとく、側面板７１と背面板７２とによって形成された形態のものが広く利用されている。
【０００３】
前記本立て７は、側面板７１と背面板７２とを一定の角度で動かないように固着させたものである。
【０００４】
一方、側面板が可動式の本立て８も利用されている。この本立て８の特徴は、図８に示すごとく別個の二つの部分８a及び８bから構成され、８aと８bとを固着させず水平方向にスライドすることが出来るように組み合わせてあることである。
【０００５】
他方、対向する側面板のみによって構成されたブックエンドも広く利用されている。このブックエンドの特徴は、対向する側面板と側面板とが背面板によって接合されていないことである。
【発明の開示】
【発明が解決しようとする課題】
【０００６】
しかしながら、従来からの本立て７及び本立て８は、前記の通りそれぞれの特徴はあるが、側面板とこれに接合された背面板とが、接合部において自由な確度で扇形に開閉し、あるいはさらに接合された側面板と側面板とが、側面板の接合部において、自由な確度で扇形に開閉することは、何ら開示されていない。
【０００７】
そのため、従来のいずれの本立ても、本の背と小口とで厚みが異なる図書、ファイル等の保管には適していなかった。
【０００８】
他方、従来からのブックエンドは、対向する側面板と側面板との角度を自由に調節できる特徴はあるものの、側面板のみから形成されるため、側面板とこれに接合された背面板とが、自由な確度で扇形に開閉することは、開示されていない。
【０００９】
そのため、従来からのブックエンドは、側面板と側面板との角度を自由に調節できる特徴はあるものの、側面板と側面板とが背面板に接合され相互に連結されていないため、側面板と側面板との位置関係が不確定となり、本の背と小口とで厚みが異なる図書、ファイル等の保管に必ずしも適していなかった。
【課題を解決するための手段】
【００１０】
そこで、本発明者は、上記の課題を解決するため、請求項１〜請求項３に記載された発明を創出するに至ったものである。なお、本発明の内容を具体的に説明するために実施例において使用する図面の符号を用いて、以下詳細に説明する。
【００１１】
まず、請求項１に記載された発明が採った手段は、接合部１３において、側面板１１と背面板１２とを接合し、側面板とこれに接合された背面板とが、その接合部において、自由な確度で、扇形に開閉することを特徴とする本立て１を提供するものである（図１等参照）。
【００１２】
ここで、「接合」とは、例えば、ヒンジ等を用いて、側面板１１と背面板１２とを、接合部１３において自由な確度で扇形に開閉が可能な状態で固定することをいう。ただし、接合部において扇形に開閉が可能であれば、例えば屈曲が可能なプラスチック素材を用いて、一枚の部分から側面板と背面板を形成したものであってもよい。また、側面板と背面板との接合は、着脱が可能であっても不可能であってもよい。
また、「接合部」とは、側面板と背面板とが、自由な確度で扇形に開閉可能な状態で接合された本立ての部分をいう。接合部は、側面板または背面板の部分において、移動が可能であっても不可能であってもよい。
そして、「側面板」とは、本の表紙に当接して本を保持する本立ての部分をいい、「背面板」とは、本の背又は小口に当接して本を保持する本立ての部分をいう。側面板と背面板とは、通常、別個の部分によって形成されることが多いと考えられるが、前記の如く、一体として形成されたものであってもよい。
【００１３】
次に、請求項２に記載された発明が採った手段は、２個以上の、請求項１記載の本立ての特徴を有する本立ての部分２ａと２ｂとを、側面板の接合部２４において、側面板２１ａと２１ｂとを接合させ連結することにより形成した本立てであって、側面板の接合部において、側面板２１ａと２１ｂとが、自由な確度で扇形に開閉することを特徴とする本立て２を提供するものである（図２等参照）。
【００１４】
ここで、「側面板の接合部」とは、ある本立ての部分に属する側面板と他の本立ての部分に属する側面板とが接合し、自由な確度で扇形に開閉する部分をいう。側面板の接合部は、側面板の部分において、移動が可能であっても不可能であってもよい。また、側面板と側面板とは着脱が可能であっても不可能であってもよく、側面板の接合部において開閉が可能な状態であれば、例えば屈曲が可能なプラスチック素材等を用いて、側面板２１ａと２１ｂとを連続させ、側面板２１ａと２１ｂとを一個の部品として形成してもよい。
また、「請求項１記載の本立ての特徴を有する本立ての部分」とは、側面板と背面板とが、接合部において、自由な確度で扇形に開閉することが可能な状態で接合されていることを特徴とする本立ての部分をいう。
請求項１記載の本立ての特徴を有する或る本立ての部分と他の本立ての部分とは、通常、別個の部品によって形成されることが多いと考えられる。しかし、前記の如く、側面板の接合部において開閉が可能であれば、例えば屈曲が可能なプラスチック素材等を用いて、側面板２１ａと２１ｂとを連続させ、側面板２１ａと２１ｂとを一個の部品として形成してもよい。さらに、例えば屈曲が可能なプラスチック素材等を用いて、請求項１記載の本立ての特徴を有する或る本立ての部分と他の本立ての部分とを連続させ、或る本立ての部分と他の本立ての部分とが、全体として一個の部品から形成されるようにしてもよい。接合部または側面板の接合部は、自由な確度で開閉が可能な状態であれば、一体的に形成されていてもよく、分離できるように形成されていてもよい。
また、「連結」とは、請求項１記載の本立ての特徴を有する或る本立ての部分と他の本立ての部分とを、側面板の接合部において、ある本立ての部分に属する側面板と他の本立ての部分に属する側面板とを接合させることによって、連結させることをいう。
【００１５】
また、請求項３に記載された発明が採った手段は、２個以上の、側面板と背面板とが開閉できない状態で固着されている本立ての部分３ａと３ｂとを、側面板の接合部３４において、側面板３１ａと３１ｂとを接合させ、連結することにより形成した本立てであって、側面板の接合部において、側面板３１ａと３１ｂとが、自由な確度で扇形に開閉することを特徴とする本立て３を提供するものである（図３等参照）
【００１６】
ここで、「側面板と背面板とが開閉できない状態で固着されている本立ての部分」とは、従来の本立てに見られる如く、例えば釘や接着剤等を用いることで、側面板と背面板とが一定の角度で動かないように固着されていることを特徴とする本立ての部分をいう。
側面板と背面板とが接合部において開閉できないように固着されていれば、側面板と背面板とが、どのような角度で固着されているものであってもよい。また、例えば、一枚のスチール板から側面板と背面板とを形成してあるために、側面板と背面板とが開閉できないものであってもよい。
【発明の効果】
【００１７】
請求項１〜請求項３に記載された本各発明は、下記に示すような諸々の効果を奏するものである。
【００１８】
まず、請求項１に記載された発明によれば、側面板と背面板とは、接合部において扇形に開閉するから、本立ての前方部の長さを自由に調節することができ、例えば、本の背と小口で長さの異なるファイルであっても、その表紙と背または小口に対して側面板と背面板を密着させることが可能となり、確実に保持できるため、ファイルが曲がったり型崩れしたりすることがない本立てを提供することが出来る（図４等参照）。
【００１９】
次に、請求項２に記載された発明によれば、２個以上の、請求項１記載の本立ての特徴を有する本立ての部分が、側面板の接合部において扇形に開閉するのみならず、側面板と背面板とが、接合部において扇形に開閉するから、例えば、本の背と小口で長さの異なるファイルを多数保存しなければならない場合であっても、ファイルの数と全体の厚さに応じて、表紙と背または小口に対して側面板と背面板を密着させ、確実に保持できる本立てを提供することが出来る（図５等参照）
【００２０】
そして、請求項３に記載された発明によれば、２個以上の、側面板と背面板とが開閉できない状態で固着されている本立ての部分が、側面板の接合部において、扇形に開閉するから、例えば、接合部において、側面板と側面板とが扇形に９０度以上の広い角度で固着されている本立ての部分複数個をもって本立てを構成した場合は、側面板の接合部において、各々の本立ての部分に属する側面板と側面板とを密着させ、或いは分離することにより、自由な形状をとることが可能な本立てを提供することが出来る。
【発明を実施するための最良の形態】
【００２１】
本発明に係る本立ての最良の形態につき、実施例及び図面を用い、かつ請求項１〜請求項３に記載された発明と対応させながら、符号を付して具体的に説明する。なお、各図面は模式的に表現したものであり、特に図面上、本立ての側面板及び背面板の厚さに関しては誇張拡大して記載したものである。また、本立ての底板は、あってもなくてもよいので、省略して記載したものである。
【００２２】
まず、図１は、本発明の実施例１に係る本立て１の斜視図を示すものである。図１において、本立て１は、スチール製の側面板及び背面板をヒンジ等で接合して形成する。本立て１の側面板及び背面板は、スチール製の板であることが望ましい。しかし、木材、プラスチック等の、スチール以外の素材を使用してもよく、線材、パイプ材等の、板材以外の素材を使用してもよい。また、ヒンジによる接合は例示であって、接合部において側面板と背面板とが扇形に開閉することが可能であれば、それ以外の接合方法であってもよい。
【００２３】
次に図２は、本発明の実施例２に係る本立て２の斜視図を示すものである。図１に示した本発明の実施例１に係る本立ての部分を２個以上、側面板の接合部において、側面板２１ａと２１ｂとをヒンジ等により接合し連結することによって形成する。本立て２の側面板及び背面板は、スチール製であることが望ましい。しかし、木材、プラスチック等の、スチール以外の素材を使用してもよく、線材、パイプ材等の、板材以外の素材を使用してもよい。ヒンジによる接合は例示であって、側面板の接合部において側面板と側面板とが扇形に開閉することが可能であれば、それ以外の接合方法であってもよい。
【００２４】
次に図３は、本発明の実施例３に係る本立て３の斜視図を示すものである。側面板と背面板とが開閉できない状態で固着されている本立てを２個以上、側面板の接合部において、側面板３１ａと３１ｂとをヒンジ等により接合し連結することによって形成する。本立て３の側面板及び背面板は、スチール製であることが望ましい。しかし、木材、プラスチック等の、スチール以外の素材を使用してもよく、線材、パイプ材等の、板材以外の素材を使用してもよい。ヒンジによる接合は例示であって、側面板の接合部において側面板と側面板とが扇形に開閉することが可能であれば、それ以外の接合方法であってもよい。
【００２５】
また図６は、本発明の実施例４に係る本立て６の斜視図を示すものである。図１に示した本発明の実施例１に係る本立て１に、通常、ブックエンドに付属されている脚部６５を付属させて形成する。本立て６は、スチール製の側面板及び背面板をヒンジ等で接合して形成しているが、側面板、背面板及び脚部は、スチール製以外に、木材、プラスチック製等の素材が使用される場合もある。
【実施例１】
【００２６】
実施例１は、図１及び図４に示すごとく、一対の側面板とこれに接合部において接合する背面板とから形成した本立て１を提供するものである。
【００２７】
本立て１は、図１に示すごとく、側面板１１の最後方部と背面板１２の横側の最端部とを接合した実施例である。側面板１１の最後方部と背面板１２の横側の最端部とを接合しているため、側面板と背面板の突出部分が出ないように形成されている。
【００２８】
また本立て１は、スチール製の側面板及び背面板を、接合部１３において、開閉が容易なヒンジ等で接合して形成する。
【００２９】
したがって、本例によれば、本の背と小口とで厚さの異なる本やファイルであっても、側面板と背面板とを容易に開閉できるため、その表紙と背または小口に対して側面板と背面板を密着させることが可能となり、取り扱い易く、しかもファイルが曲がったり型崩れしたりすることがない、本やファイルの保管に適した本立て１を得ることが出来る。
【実施例２】
【００３０】
実施例２は、図２及び図５に示すごとく、請求項１記載の本立ての特徴を有する本立ての部分２ａと同２ｂとを、側面板の接合部において、側面板２１ａと２１ｂとをヒンジ等により接合し連結させて形成した本立て２を提供するものである。
【００３１】
本立て２は、図２に示すごとく、側面板の接合部２４において、側面板２１ａの最前方部と側面板２１ｂの最前方部とを接合し、接合部２３ａにおいて、側面板２１ａの最後方部と背面板２２ａの横側の最端部とを接合し、接合部２３ｂにおいて、側面板２１ｂの最後方部と背面板２２ｂの横側の最端部とを接合した実施例である。
【００３２】
本立て２は、側面板の接合部２４において、側面板２１ａの最前方部と側面板２１ｂの最前方部とを接合し、接合部２３ａにおいて、側面板２１ａの最後方部と背面板２２ａの横側の最端部とを接合し、接合部２３ｂにおいて、側面板２１ｂの最後方部と背面板２２ｂの横側の最端部とを接合しているため、側面板と背面板の突出部分が出ないように形成されている。
【００３３】
また本立て２は、スチール製の側面板及び背面板を、接合部２３ａ、同２３ｂ及び側面板の接合部２４において、開閉が容易なヒンジ等で接合して形成する。
【００３４】
したがって、本例によれば、本の背と小口とで厚さの異なる本やファイルであっても、接合部２３ａ、同２３ｂにおいて、側面板と背面板とを容易に開閉することが出来るため、その表紙と背または小口に対して側面板と背面板を密着させることが可能となり、取り扱い易く、ファイルが曲がったり型崩れしたりすることがない、本やファイルの保管に適した本立て１を得ることが出来る。
【００３５】
また、本例によれば、図５に示すごとく、多数の本やファイルを保管する場合であっても、側面板の接合部２４において、側面板２１ａと側面板２１ｂとを容易に開閉させることが出来るため、本やファイルの数量や全体の厚さに応じて、本やファイルが使用し易い状態に整理することが可能となり、実用に適した本立て２を得ることが出来る。
【実施例３】
【００３６】
実施例３は、図３に示すごとく、側面板と背面板とが開閉できない状態で固着されている本立て３ａと同３ｂとを、側面板の接合部３４において、側面板３１ａと３１ｂとをヒンジ等により接合させ連結することにより形成した本立て３を提供するものである。
【００３７】
本立て３は、図３に示すごとく、側面板の接合部３４において、側面板３１ａの最前方部と側面板３１ｂの最前方部とを接合した実施例である。
【００３８】
本立て３は、側面板の接合部３４において、側面板３１ａの最前方部と側面板３１ｂの最前方部とを接合しているため、側面板３１ａと側面板３１ｂとの突出部分が出ないように形成されている。また、図中３３ａにおいて、側面板３１ａの最後方部と背面板３２ａの横側の最端部とを接合し、図中３３ｂにおいて、側面板３１ｂの最後方部と背面板３２ｂの横側の最端部とを接合しているため、側面板と背面板の突出部分が出ないように形成されている。
【００３９】
また本立て３は、スチール製の側面板を、側面板の接合部３４において、開閉が容易なヒンジ等で接合して形成する。
【００４０】
したがって、本例によれば、多数の本やファイルを保管する場合であっても、側面板の接合部２４において、側面板２１ａと側面板２１ｂとを容易に開閉させることが出来るため、自由に本立ての形状を変化させることができ、本やファイルの数量や全体の厚さに応じて、本やファイルを使用し易い状態に整理することが可能となる実用に適した本立て２を得ることが出来る。
【実施例４】
【００４１】
実施例４は、図６に示すごとく、図１に示した本発明の実施例１に係る本立て１に、通常、ブックエンドに付属されている脚部６５を付属させて形成した本立て６を提供するものである。
【００４２】
本立て６は、図６に示すごとく、側面板６１の最後方部と背面板６２の横側の最端部とを接合した実施例である。側面板６１の最後方部と背面板６２の横側の最端部とを接合しているため、側面板と背面板の突出部分が出ないように形成されている。
【００４３】
また本立て６は、スチール製の側面板及び背面板を、接合部６３において、開閉が容易なヒンジ等で接合して形成する。
【００４４】
さらに、本立て６は、側面板６１の下部に、通常、ブックエンドに付属されているスチール製の脚部６５を付属させて形成する。
【００４５】
したがって、本例によれば、本やファイルの厚さに応じて、側面板と背面板とを容易に開閉することが出来るため、取り扱い易い本立て６を得ることが出来るのみならず、本やファイルの重量によって本立て６が安定し、より取り扱い易い本立て６を得ることが出来る。
【図面の簡単な説明】
【００４６】
【図１】図１は、実施例１に係る本立ての斜視図。
【図２】図２は、実施例２に係る本立ての斜視図。
【図３】図３は、実施例３に係る本立ての斜視図。
【図４】図４は、実施例１に係る本立ての上面図。
【図５】図５は、実施例２に係る本立ての上面図。
【図６】図６は、実施例４に係る本立ての斜視図。
【図７】図７は、従来の本立ての斜視図。
【図８】図８は、従来の本立ての斜視図。
【符号の説明】
【００４７】
１：本立て本体
１１：側面板
１２：背面板
１３：接合部
２：本立て本体
２ａ：本立ての部分ａ
２１ａ：本立ての部分ａの側面板
２２ａ：本立ての部分ａの背面板
２３ａ：本立ての部分ａの接合部
２４：側面板の接合部
２ｂ：本立ての部分ｂ
２１ｂ：本立ての部分ｂの側面板
２２ｂ：本立ての部分ｂの背面板
２３ｂ：本立ての部分ｂの接合部
３：本立て本体
３ａ：本立ての部分ａ
３１ａ：本立ての部分ａの側面板
３２ａ：本立ての部分ａの背面板
３３ａ：本立ての部分ａの背面板３１ａと同３２ａとを固定した部分
３４：側面板の接合部
３ｂ：本立ての部分ｂ
３１ｂ：本立ての部分ｂの側面板
３２ｂ：本立ての部分ｂの背面板
３３ｂ：本立ての部分ｂの背面板３１ｂと同３２ｂとを固定した部分
６：本立て本体
６１：側面板
６２：背面板
６３：接合部
６５：脚部
【図１】
2006130109.tif 000003
【図２】
2006130109.tif 000004
【図３】
2006130109.tif 000005
【図４】
2006130109.tif 000006
【図５】
2006130109.tif 000007
【図６】
2006130109.tif 000008
【図７】
2006130109.tif 000009
【図８】
2006130109.tif 000010